(57)【要約】【課題】ウエットティッシュ入り封入袋の上面部に型材を取付けたウエットティッシュ包装体において、使用に供するまでは封入袋内を完全密閉でき、使用時にウエットティッシュの分離機能と保持機能とを確保し得るようにする。【解決手段】封入袋上面部２１にウエットティッシュ引出口２２を密閉するシールラベル８を貼着し、型材４は、シールラベル８より大きい面積の開口部５２を有する環状の枠体５と、枠体開口部５２を開閉でき且つ先・後のウエットティッシュの分離機能と後続側ウエットティッシュ先端部の保持機能とを確保できる小開口面積のウエットティッシュ取出口６５を設けた中間蓋６と、中間蓋６のウエットティッシュ取出口６５を開閉できる上蓋７とを備えており、中間蓋６を開放させることでシールラベル８を剥がすことができ、上蓋７を開放させることでウエットティッシュ取出口６５を機能させながら使用できるようにした。【選択図】      図１
2004331158.tif 000002
【特許請求の範囲】
【請求項１】
上面部（２１）にウエットティッシュ引出口（２２）を形成した封入袋（２）内に多数枚のウエットティッシュ（３１）を順次連続引出し可能に積層してなるウエットティッシュ積層体（３）を収納し、封入袋（２）の上面部（２１）にプラスチック製の型材（４）を取付けたウエットティッシュ包装体であって、
前記封入袋上面部（２１）にはウエットティッシュ引出口（２２）を密閉するシールラベル（８）を貼着し、
前記型材（４）は、前記シールラベル（８）より大きい面積の開口部（５２）を有する環状で且つ該シールラベル（８）を囲うようにして前記封入袋上面部（２１）に接着させている枠体（５）と、該枠体（５）の開口部（５２）を開閉できるとともにウエットティッシュ（３１）の通過時の抵抗によって先・後のウエットティッシュ（３１，３１）を分離でき且つ後続側ウエットティッシュの先端部（３１ａ）を保持し得る程度の小開口面積のウエットティッシュ取出口（６５）を設けた中間蓋（６）と、該中間蓋（６）のウエットティッシュ取出口（６５）を開閉できる上蓋（７）とを備えている、
ことを特徴とするウエットティッシュ包装体。
【請求項２】
請求項１において、型材（４）の枠体（５）と中間蓋（６）と上蓋（７）とは、順次ヒンジ部（６０，７０）で連結して一体成形されていることを特徴とするウエットティッシュ包装体。
【請求項３】
請求項１又は２において、中間蓋（６）のウエットティッシュ取出口（６５）を封入袋上面部（２１）のウエットティッシュ引出口（２２）の上部に近接させるとともに、中間蓋（６）のウエットティッシュ取出口（６５）と上蓋（７）の下面との間に空間部（６６）を設けたことを特徴とするウエットティッシュ包装体。
【発明の詳細な説明】
【０００１】
【発明の属する技術分野】
本願発明は、ウエットティッシュの積層体を収納した封入袋の中から、ウエットティッシュを順次１枚づつ取出し得るようにしたウエットティッシュ包装体に関するものである。
【０００２】
【従来の技術】
この種のウエットティッシュ包装体は、ウエットティッシュ積層体をフイルム状の封入袋内に収納し、封入袋上面部に設けたウエットティッシュ引出口から内部のウエットティッシュを順次１枚づつ取出し得るように構成されている。
【０００３】
ところで、ウエットティッシュ積層体をフイルム状の封入袋内に収納したままのウエットティッシュ包装体では、封入袋が柔軟であるために保形性に乏しく、使い勝手が悪いという問題がある。そこで、従来から、ウエットティッシュ包装体として、例えば図５及び図６に示す第１従来例、又は図７及び図８に示す第２従来例のように、封入袋の上面部にプラスチック製の型材を接着させたものが知られている。
【０００４】
図５及び図６に示す第１従来例
この第１従来例（図５）のウエットティッシュ包装体Ａは、特許文献１（特開平９−２２６８６１号公報の図５）に示されるもので、フイルム製の封入袋２内にウエットティッシュ積層体３を収納し、さらに封入袋２の上面部２１にプラスチック成型品からなる型材４Ａを接着して構成されている。
【０００５】
封入袋２の上面部２１にはウエットティッシュ引出口２２を形成している。尚、封入袋２は、非常に柔軟なフイルム製であり、従ってウエットティッシュ引出口２２の口縁部２２ａ付近は非常に撓み易い性状になっている。又、ウエットティッシュ引出口２２は、封入袋２内のウエットティッシュを引出すために２本の指（親指と人差指）を差し込み得る程度の大きさを有している。尚、このウエットティッシュ引出口２２は、このウエットティッシュ包装体を使用に供するまではシールラベル８で密閉されている。
【０００６】
型材４Ａは、封入袋２のウエットティッシュ引出口２２に対応する位置に比較的大面積の開口部５２を有する枠体５Ａと、該枠体５Ａの開口部５２を開閉する蓋板６Ａとを有している。
【０００７】
枠体５Ａの開口部５２は、ウエットティッシュ引出口２２を密閉するシールラベル８より大きい面積を有している。そして、この枠体５Ａは、封入袋上面部２１のシールラベル８を囲う状態（開口部５２内にシールラベル８を収納した状態）で、封入袋上面部２１に接着されている。従って、シールラベル８は、枠体開口部５２を開放させると、そこから剥がすことができるようになっている。
【０００８】
そして、図５に示す第１従来例のウエットティッシュ包装体Ａから内部のウエットティッシュを取出すときには、蓋板６Ａを開き、シールラベル８を剥がしてウエットティッシュ引出口２２を開放させ、該引出口２２から指を差し込んで最上部のウエットティッシュを摘まんで引き出す。このとき、図６に示すように、引き出されるウエットティッシュ３１とウエットティッシュ引出口２２の口縁部２２ａとの摩擦力で該最上部のウエットティッシュ３１を後続のウエットティッシュ３１から分離させ得るとともに、後続のウエットティッシュの先端部３１ａがウエットティッシュ引出口２２から少しだけ臨出する状態で該ウエットティッシュ引出口２２に保持されるようになっている。即ち、図５のウエットティッシュ包装体Ａでは、ウエットティッシュ引き出し時における先行側ウエットティッシュ３１の分離機能と、後続ウエットティッシュ３１の先端部保持機能とをウエットティッシュ引出口２２の口縁部２２ａで達成するようになっている。
【０００９】
図７及び図８に示す第２従来例
この第２従来例のウエットティッシュ包装体Ｂは、特許文献２（特開平６−２９２６３９号公報の図８、図９）に示されるもので、図７のウエットティッシュ包装体Ｂは、封入袋２内にウエットティッシュ積層体３を収納してなるウエットティッシュ入り封入袋１と、それとは別体のプラスチック成型品からなる型材４Ｂとで構成されている。
【００１０】
封入袋２の上面部２１のウエットティッシュ引出口２２は２本の指を差し込み得る程度の開口面積を有している。尚、このウエットティッシュ引出口２２は、このウエットティッシュ入り封入袋１を使用に供するまではシールラベル８で密閉されている。
【００１１】
型材４Ｂは、封入袋上面部２１に接着される基台５Ｂと、該基台５Ｂに形成されているウエットティッシュ取出口５５を開閉し得る蓋板６Ｂとを有している。基台５Ｂのウエットティッシュ取出口５５は、連続して引出される先・後のウエットティッシュを確実に分離させ得るように比較的小隙間とされている。尚、このウエットティッシュ取出口５５の口縁部は、基台５Ｂが硬質プラスチック製であるので撓むことがなく、常に一定のウエットティッシュ分離力と一定のウエットティッシュ先端部の保持力とを有している。
【００１２】
基台部５Ｂの下面には、接着剤１１が塗布され、且つ該接着剤塗布面を剥離紙１２で被覆している。尚、この第２従来例のウエットティッシュ包装体Ｂでは、封入袋上面部２１にシールラベル８を貼着した状態で、基台５Ｂの下面（接着剤塗布面）を封入袋上面部２１に接着（一体化）させると、基台５Ｂのウエットティッシュ取出口５５がシールラベル８より小さいので該シールラベル８を剥がすことができなくなる。従って、この第２従来例のウエットティッシュ包装体Ｂでは、ウエットティッシュ入り封入袋１と型材４Ｂとを一体化（接着）させた状態で出荷することはできない。
【００１３】
図７の第２従来例のウエットティッシュ包装体Ｂは、ウエットティッシュ入り封入袋１と型材４Ｂとが別体の状態で販売され、購入者は使用時において次の作業を行う。まず、ウエットティッシュ入り封入袋１側のシールラベル８を鎖線図示（符号８′）するように剥がして、ウエットティッシュ引出口２２を開放させ、他方、型材４Ｂ側の剥離紙１２を鎖線図示（符号１２′）するように基台５Ｂの底面から剥がす（接着剤１１の塗布面が露出する）。尚、蓋板６Ｂは基台５Ｂに対して開放させておく。そして、ウエットティッシュ引出口２２から指を差し込んで最上部の１枚のウエットティッシュの一部を引出し、その引出したウエットティッシュの先端部を基台５Ｂの下面側からウエットティッシュ取出口５５に挿通させた状態で、該基台５Ｂ下面の接着剤１１を封入袋上面部２１に接着させる。この場合、蓋板６Ｂを閉じると、図８に示すように、ウエットティッシュ取出口５５の上部が密閉され、短期間（数日程度）ではウエットティッシュ取出口５５に保持されたウエットティッシュ（特にウエットティッシュ先端部３１ａ）が乾燥することがない。
【００１４】
【特許文献１】
特開平９−２２６８６１号公報（特に図５）
【特許文献２】
特開平６−２９２６３９号公報（特に図８、図９）
【００１５】
【発明が解決しようとする課題】
ところで、この種のウエットティッシュでは、不織布の厚み・強度・坪量・折畳み重合量、又は封入袋２内のウエットティッシュ残量、含浸液の種類、等により、ウエットティッシュ引出し時における後続ウエットティッシュとの摩擦力に差が生じる。他方、封入袋２のウエットティッシュ引出口２２の形状・大きさ・硬さ、又は封入袋２内のウエットティッシュ残量、等によっては、ウエットティッシュ引出し時におけるウエットティッシュ引出口２２とウエットティッシュ間の摩擦力も変化する。
【００１６】
そして、図５に示す第１従来例のウエットティッシュ包装体Ａでは、ウエットティッシュ引出口２２は２本の指を差込み得る程度に大きさを有し、且つ該ウエットティッシュ引出口２２の口縁部２２ａが非常に柔軟な性状であるために、図６に示すようにウエットティッシュ引出し時において、ウエットティッシュ引出し力によって引出口２２の口縁部２２ａが上方に撓み易くなる（ウエットティッシュ引出口２２が大きくなる）。すると、ウエットティッシュ引出口２２の口縁部２２ａによる摩擦力が減少して、先・後ウエットティッシュ３１，３１の分離機能が弱くなり、ウエットティッシュが先・後２枚続けて引出されることがある（その場合は１枚が無駄になる）。又、このように、ウエットティッシュ引出口２２の口縁部２２ａによる摩擦力が減少すると、該口縁部２２ａによるウエットティッシュ先端部の保持力が弱くなり、特に内部のウエットティッシュ量が少なくなる（例えば図６の符号３′の量）と、ウエットティッシュ先端部が符号３１ａ′で示すように封入袋２内に落ち込んでしまうことがある。その場合は、ウエットティッシュ引出口２２から指を差し込んで再度ウエットティッシュの先端部を引出さなければならず、その引出し作業が面倒となる。
【００１７】
他方、図７及び図８に示す第２従来例のウエットティッシュ包装体Ｂでは、型材４Ｂの基台５Ｂに形成しているウエットティッシュ取出口５５が比較的小さく且つ該取出口５５の口縁部が硬質であるので、先・後ウエットティッシュの分離機能及び後続側のウエットティッシュ先端部の保持機能はそれぞれ確実に達成できるものの、次のような欠点がある。即ち、製品の出荷段階で、図７に示すようにウエットティッシュ入り封入袋１と型材４Ｂとを別体にしておく必要があるので、分離状態の部材点数が多くなって構成が繁雑となる。又、購入者が使用時において、型材４Ｂ側の剥離紙１２を剥がし、その接着剤塗布面をウエットティッシュ入り封入袋１の上面部２１に接着させるという作業を行わなければならず、購入者に使用準備のための作業を行ってもらう必要がある。尚、型材４Ｂの接着作業の際に、封入袋上面部２１が非常に柔軟であるので、枠体５Ｂの下面全周をうまく接着させるには、かなりの技術を必要とし、封入袋上面部と枠体下面との気密性が不十分のままで使用することも考えられる。
【００１８】
本願発明は、上記の各従来例の問題点に鑑み、ウエットティッシュ入り封入袋とプラスチック製の型材とを一体化させた状態で出荷でき、使用時まで封入袋内を完全密封することができ、使用時にウエットティッシュを１枚づつ正常に引出せるとともに後続ウエットティッシュの先端部を確実にウエットティッシュ取出口に保持させ得るようにしたウエットティッシュ包装体を提供することを目的としている。
【００１９】
【課題を解決するための手段】
本願発明のウエットティッシュ包装体は、上記課題を解決するための手段として、次の構成を有している。
【００２０】
本願請求項１の発明
本願請求項１の発明は、上面部にウエットティッシュ引出口を形成した封入袋内に多数枚のウエットティッシュを順次連続引出し可能に積層してなるウエットティッシュ積層体を収納し、封入袋の上面部にプラスチック製の型材を取付けたウエットティッシュ包装体を対象にしている。
【００２１】
そして、本願請求項１のウエットティッシュ包装体では、封入袋の上面部にウエットティッシュ引出口を密閉するシールラベルを貼着している。
【００２２】
又、型材は、シールラベルより大きい面積の開口部を有する環状で且つシールラベルを囲うようにして封入袋上面部に接着させている枠体と、該枠体の開口部を開閉できるとともにウエットティッシュの通過時の抵抗によって先・後のウエットティッシュを分離でき且つ後続側ウエットティッシュの先端部を保持し得る程度の小開口面積のウエットティッシュ取出口を設けた中間蓋と、該中間蓋のウエットティッシュ取出口を開閉できる上蓋とを備えている。
【００２３】
本願請求項１の発明では、次のように実施することができる。
【００２４】
使用されるウエットティッシュ積層体は、所定面積の矩形に切断されたウエットティッシュを適数枚順次ジグザグに折畳んで積層したものが使用可能である。尚、このウエットティッシュは、例えば紙や不織布等の基布に使用目的に応じた液体（例えば水に、アルコール、除菌材、防腐材、香料などを混入した液体）を含浸させたものである。
【００２５】
封入袋は、気密性及び耐水性を有するフイルム材で形成されている。尚、この封入袋は、内部に所定量のウエットティッシュ積層体を収容した状態で例えばヒートシールにより密封されている。
【００２６】
封入袋上面部のウエットティッシュ引出口は、ウエットティッシュ引き出し時にウエットティッシュに対して抵抗をもたせる必要がなく、従って該引出口の形状・大きさ等は、そこから指を差し込んで内部のウエットティッシュを引出せるものであればよい。尚、このウエットティッシュ引出口は、ウエットティッシュ包装体を使用に供するまではシールラベルで密閉されている。
【００２７】
型材の枠体は、その下面が封入袋上面部に対して全周に亘って密封状態を維持するように接着されている。又、中間蓋の閉蓋状態では、中間蓋のウエットティッシュ取出口部分を除いて枠体開口部の全面積が密閉され、さらに上蓋の閉蓋状態では、中間蓋のウエットティッシュ取出口の周囲が密閉される。従って、中間蓋及び上蓋をそれぞれ閉蓋したときには、枠体の開口部が気密保持状態で閉塞される。
【００２８】
この請求項１のウエットティッシュ包装体は、ウエットティッシュ引出口をシールラベルで密閉した状態のウエットティッシュ入り封入袋と型材とを一体化させた状態（封入袋上面部に枠体下面を接着させた状態）で出荷される。従って、封入袋が柔軟なフイルム製であっても、型材により封入袋上面部は保形性を維持している。又、ウエットティッシュ入り封入袋のウエットティッシュ引出口は、シールラベルで密閉されているので、封入袋内のウエットティッシュの水分が長期に亘って蒸発することがない。
【００２９】
そして、購入者がこのウエットティッシュ包装体を使用するときには、まず中間蓋を開いて枠体の開口部を開放させる。尚、このとき、上蓋も、開放状態の中間蓋に対して開放させておく。この状態では、枠体開口部内にシールラベルが露出しており、該シールラベルの一端部を摘まんで該シールラベルを剥がすと、封入袋上面部のウエットティッシュ引出口が開口する。そして、該ウエットティッシュ引出口から指を差し込んで、封入袋内の最上部のウエットティッシュの一部（先端部）を摘まみ出し、そのウエットティッシュ先端部を中間蓋の下面側から該中間蓋のウエットティッシュ取出口に僅かな長さだけ挿通させた後、中間蓋及び上蓋をそれぞれ閉じる。
【００３０】
この状態では、封入袋上面部のウエットティッシュ引出口が開口しているものの、枠体開口部が中間蓋で閉じられ、且つ中間蓋のウエットティッシュ取出口が上蓋で閉じられているので、最上部に位置するウエットティッシュであっても数日程度の短期間で乾燥・変質することはない。又、最上部のウエットティッシュの先端部は、中間蓋のウエットティッシュ取出口に保持されたままである。
【００３１】
そして、この状態のウエットティッシュ包装体からウエットティッシュを取出すには、中間蓋は閉じたままで上蓋を中間蓋に対して開放する。すると、中間蓋のウエットティッシュ取出口に保持されているウエットティッシュの先端部が露出しており、該ウエットティッシュ先端部を摘まんで引き出せば、後続のウエットティッシュの先端部がウエットティッシュ取出口に保持された時点で先行側のウエットティッシュが分離するようになる。尚、中間蓋のウエットティッシュ取出口の口縁部は、硬質（中間蓋がプラスチック製）であるとともに、所定の小開口面積であるため、ウエットティッシュ先端部の保持力は一定であり、ウエットティッシュの残量に拘わらず最後まで正常に分離機能と先端部保持機能を発揮するようになる。
【００３２】
本願請求項２の発明
本願請求項２の発明は、上記請求項１のウエットティッシュ包装体において、型材の枠体と中間蓋と上蓋とを、順次ヒンジ部で連結して一体成形していることを特徴としている。
【００３３】
枠体と中間蓋とのヒンジ部、及び中間蓋と上蓋とのヒンジ部は、枠体と中間蓋と上蓋とが順次ジグザグ状に連続するように設置している。尚、この各ヒンジ部は、材料の一部を薄肉にして屈曲し得るようにしたものである。
【００３４】
このように、枠体と中間蓋と中間蓋とを順次ヒンジ部で連結すると、成形金型が１つでよい。
【００３５】
本願請求項３の発明
本願請求項３の発明は、上記請求項１又は２のウエットティッシュ包装体において、中間蓋のウエットティッシュ取出口を封入袋上面部のウエットティッシュ引出口の上部近接位置に設けるとともに、中間蓋のウエットティッシュ取出口と上蓋の下面との間に空間部を設けたことを特徴としている。
【００３６】
この請求項３における、中間蓋のウエットティッシュ取出口と上蓋下面との間の空間部は、該ウエットティッシュ取出口に保持させたウエットティッシュ先端部の収容スペースとなるものである。そして、この空間部を設けると、上蓋を閉じたときに、上蓋下面がウエットティッシュ取出口に保持されているウエットティッシュ先端部を押圧しなくなり、従って上蓋を正常に閉じることができる。
【００３７】
【発明の効果】
本願請求項１の発明の効果
本願請求項１の発明では、ウエットティッシュ入り封入袋の上面部に型材を取付けたウエットティッシュ包装体において、型材として、枠体と中間蓋と上蓋とを有する３層のものを使用している。
【００３８】
そして、中間蓋を開放すると、枠体の開口部内に封入袋上面部のウエットティッシュ引出口を密閉しているシールラベルが露出するので、型材を封入袋上面部に取付けて出荷したものであっても、後から（使用時に）シールラベルを剥がすことができるという効果がある。
【００３９】
又、中間蓋に所定小開口面積のウエットティッシュ取出口を形成しているので、型材を封入袋上面部に取付けた状態で出荷し、且つシールラベルを後から剥がせるようにしたものであっても、先・後のウエットティッシュの分離機能、及び後続側ウエットティッシュの先端部の保持機能をそれぞれ確保することができるという効果もある。尚、このウエットティッシュ取出口は、上蓋で閉塞されるので、ウエットティッシュの乾燥は防止できる。
【００４０】
本願請求項２の発明の効果
本願請求項２の発明は、上記請求項１のウエットティッシュ包装体において、型材の枠体と中間蓋と上蓋とを、順次ヒンジ部で連結して一体成形している。
【００４１】
このように、枠体と中間蓋と中間蓋とを順次ヒンジ部で連結すると、３つの部材を１つの成形金型で製造できる。従って、この請求項２の発明では、上記請求項１効果に加えて、製造コストが安価になるとともに、封入袋上面部に接着されている枠体に対して中間蓋及び上蓋が分離しないので、組立て時あるいは使用時等の取り扱いがし易くなるという効果がある。
【００４２】
本願請求項３の発明の効果
本願請求項３の発明は、上記請求項１又は２のウエットティッシュ包装体において、中間蓋のウエットティッシュ取出口を封入袋上面部のウエットティッシュ引出口の上部近接位置に設けるとともに、中間蓋のウエットティッシュ取出口と上蓋の下面との間に空間部を設けている。
【００４３】
このようにすると、中間蓋のウエットティッシュ取出口と上蓋下面との間に設けた空間部に、ウエットティッシュ取出口に保持させたウエットティッシュ先端部の上面露出部分を収容することができる。従って、この請求項３の発明では、上記請求項１又は２の効果に加えて、３層構成の型材を使用したものにおいて、中間蓋の上面側にウエットティッシュの先端部収容用の空間部を簡単に形成することができるという効果がある。
【００４４】
【実施の形態】
以下、図１〜図４を参照して本願発明の実施形態を説明すると、この実施形態のウエットティッシュ包装体Ｃは、封入袋２の内部にウエットティッシュ３１の積層体３を収納したウエットティッシュ入り封入袋１の上面部２１にプラスチック製の型材４を取付けて構成している。
【００４５】
この実施形態で使用されるウエットティッシュ積層体３は、矩形のウエットティッシュ３１を例えば５０〜１００枚程度左右各側からジグザグに折畳んで、順次連続引出し可能に積層したものである。又、このウエットティッシュ３１には、例えば紙や不織布等の基布に使用目的に応じた液体（例えば水に、アルコール、除菌材、防腐材、香料などを混入した液体）を含浸させている。
【００４６】
封入袋２は、気密性及び耐水性を有する柔軟なフイルム材で形成している。この封入袋２としては、例えばアルミ箔をラミネートしたポリエステルフイルムにヒートシール性を付与するためにポリエチレンフイルムを内層させた３層フイルムが適当である。そして、この封入袋２は、内部に所定量のウエットティッシュ積層体３を収容した状態でヒートシールにより密封している。
【００４７】
封入袋２の上面部２１の中央部には、ウエットティッシュ引出口２２が形成されている。このウエットティッシュ引出口２２は、２本の指を差込み得る程度のかなり大きな面積を有している。尚、このウエットティッシュ包装体Ｃでは、後述するように中間蓋６に設けた小開口面積のウエットティッシュ取出口６５で先・後のウエットティッシュ３１，３１を分離するようにしている関係で、封入袋上面部２１のウエットティッシュ引出口２２の口縁部２２ａにウエットティッシュ引出し時の抵抗を必要としなくなり、従って、ウエットティッシュ引出口２２は指を差込み得るものであれば形状・大きさ等に特別の制限はない。
【００４８】
封入袋上面部２１には、ウエットティッシュ引出口２２を密閉するシールラベル８を貼着させている。このシールラベル８は、ウエットティッシュ引出口２２よりやや大きい程度の面積を有している。尚、このシールラベル８は、このウエットティッシュ包装体Ｃを使用に供するまでウエットティッシュ引出口２２を密閉している。
【００４９】
型材４は、封入袋上面部２１に取付けられた矩形環状の枠体５と、該枠体５内の開口部５２を閉塞する中間蓋６と、該中間蓋６に形成しているウエットティッシュ取出口６５を開閉できる上蓋７とを備えている。尚、枠体５、中間蓋６、上蓋７の各肉厚さは、１〜１．５ｍｍ程度の比較的薄いものでよい。
【００５０】
中間蓋６は、枠体５に対して薄肉状のヒンジ部６０で連結されており、該中間蓋６を枠体５に対してヒンジ部６０を中心にして上下に弧回動開閉し得るようになっている。又、上蓋７は、中間蓋６に対して、該中間蓋６の枠体５に対する連結部とは対向位置において同じく薄肉状のヒンジ部７０で連結されており、該上蓋７を中間蓋６に対してヒンジ部７０を中心にして上下に弧回動開閉し得るようになっている。尚、中間蓋６を枠体５に対して弧回動させると、上蓋７も共に弧回動する。
【００５１】
枠体５には、内部にシールラベル８より大きい開口面積の開口部５２を有している。そして、この枠体５は、封入袋上面部２１のウエットティッシュ引出口２２を密閉しているシールラベル８を囲うようにして、封入袋上面部２１に接着・固定させている。
【００５２】
枠体５の上面側には、開口部５２の口縁部分に上向きの環状壁５１が形成されている。他方、中間蓋６の下面には、枠体５の上向き環状壁５１に対してほぼ気密状態で嵌合（図示例では外嵌合）する下向き環状壁６１が形成されている。そして、中間蓋６を閉じたときには、中間蓋６側の下向き環状壁６１が枠体５側の上向き環状壁５１に外嵌合して開口部５２を密閉するようになっている。尚、枠体５側の上向き環状壁５１と中間蓋６側の下向き環状壁６１との各突出高さは、特に限定するものではないが、それぞれ３．５〜４ｍｍ程度が適当である。
【００５３】
中間蓋６の中央部分は、下向き環状壁６１の内側においてかなりの大面積部分が段下げ部６２となっている。この段下げ部６２の下面（底壁６４）は、図２及び図４に示すように、中間蓋６を閉じたときに封入袋上面部２１にかなり近接（例えば０．５〜１ｍｍ程度まで近接）するように設定されている。従って、この段下げ部６２の上面側には、周壁６３と底壁６４とで囲われた凹室（後述の空間部となる）６６が形成されている。尚、この凹室６６の深さは、特に限定するものではないが、３ｍｍ程度が適当である。
【００５４】
中間蓋６の段下げ部６２の底壁６４には、中間蓋６を閉じた状態で封入袋上面部２１のウエットティッシュ引出口２２に対応する位置にウエットティッシュ取出口６５を形成している。このウエットティッシュ取出口６５は、図１に示すように、封入袋上面部２１側のウエットティッシュ引出口２２よりかなり小面積であり、ウエットティッシュ３１の通過時の抵抗によって先・後のウエットティッシュ３１，３１を分離させ得るようになっている。尚、図示例のウエットティッシュ取出口６５は、中央部にやや大きい円形穴６５ａを有し、該円形穴６５ａの両側にそれぞれ細幅の長穴６５ｂ，６５ｂを連続形成している。
【００５５】
上蓋７は、穴や開口のない平板状に形成されている。又、この上蓋７の下面側には、中間蓋６の凹室周壁６３の内面に嵌合する下向き環状壁７１が形成されている。そして、この上蓋７の閉蓋時には、上蓋７の下向き環状壁７１が中間蓋６の凹室周壁６３の内面に嵌合して、該上蓋７でウエットティッシュ取出口６５の上面側を密閉するようになっている。このとき、図４に示すように、中間蓋６の段下げ部６２の上面と上蓋７の下面との間には、３ｍｍ程度の高さの空間部６６が形成されるようになる。
【００５６】
この実施形態では、型材４は、枠体５、中間蓋６、上蓋７を順次ヒンジ部６０，７０で一体に連結しているので、該型材４を１つの金型で一体成形できる。従って、３層（枠体５、中間蓋６、上蓋７）を有する型材４であっても、例えば図５に示す２層からなる型材と同様に、１つの金型による１回の成形工程で製作できる。
【００５７】
この実施形態のウエットティッシュ包装体Ｃは、ウエットティッシュ入り封入袋１と型材４とを一体化させた状態（封入袋上面部２１に枠体５下面を接着させた状態）で出荷される。従って、封入袋２が柔軟なフイルム製であっても、型材４により封入袋上面部２１は保形性を維持している。又、製造後、消費者が使用に供するまでは、封入袋２のウエットティッシュ引出口２２がシールラベル８で密閉されていて、封入袋２内の水分が蒸発することがなく、従って封入袋２内のウエットティッシュ３１は長期に亘って乾燥・変質することがない。
【００５８】
そして、購入者がこのウエットティッシュ包装体Ｃを使用するときには、まず図２の閉蓋状態から、図３に示すように中間蓋６を開いて枠体５の開口部５２を開放する。尚、このとき、上蓋７も、図１の状態あるいは図３の鎖線図示状態（符号７′）にように中間蓋６に対して開放させておく。この状態では、枠体開口部５２内にシールラベル８が露出しており、該シールラベル８の一端部を摘まんで該シールラベル８を剥がす（図３の符号８′）と、封入袋上面部２１のウエットティッシュ引出口２２が開口する。そして、該ウエットティッシュ引出口２２から指を差し込んで、封入袋２内の最上部のウエットティッシュ３１の一部（先端部）３１ａを摘まみ出し、そのウエットティッシュ先端部３１ａを図３に矢印Ｐで示すように中間蓋６′の下面側から該中間蓋６′のウエットティッシュ取出口６５′に僅かな長さだけ挿通させた後、中間蓋６′及び上蓋７′をそれぞれ閉じる（図４の状態）。
【００５９】
この状態では、図４に示すように、ウエットティッシュ積層体３の最上部のウエットティッシュ３１の先端部３１ａが中間蓋６のウエットティッシュ取出口６５に摩擦力によって保持されており、該ウエットティッシュ先端部３１ａが不用意に封入袋２内に落ち込まないようになっている。又、このウエットティッシュ先端部３１ａは、中間蓋段下げ部６２の空間部６６内に収容されているので、上蓋７を閉じても、ウエットティッシュ先端部３１ａが上蓋７の下面で押圧されることがなく、従って上蓋７を確実に閉塞できる。さらに、この状態では、封入袋上面部２１のウエットティッシュ引出口２２が開口しているものの、枠体開口部５２が中間蓋６で閉じられ、中間蓋６のウエットティッシュ取出口６５が上蓋７で閉じられているので、最上部に位置するウエットティッシュ３１であっても数日程度の短期間で乾燥・変質することはない。
【００６０】
そして、図４の状態からウエットティッシュ３１を取出すには、中間蓋６は閉じたままで上蓋７を鎖線図示（図４の符号７′）するように中間蓋６に対して開放する。すると、ウエットティッシュ取出口６５に保持されているウエットティッシュ先端部３１ａが露出し、該ウエットティッシュ先端部３１ａを摘まんで引き出せば、後続のウエットティッシュの先端部がウエットティッシュ取出口６５に保持された時点で先行側のウエットティッシュ３１′が確実に分離するようになる。又、中間蓋６のウエットティッシュ取出口６５の口縁部は、硬質（中間蓋がプラスチック製）であるとともに所定の小開口面積であるため、ウエットティッシュ先端部３１ａの保持力は一定であり、ウエットティッシュの残量に拘わらず最後まで正常に分離機能と先端部保持機能を発揮するようになる。
【００６１】
このように、この実施形態のウエットティッシュ包装体Ｃでは、ウエットティッシュ入り封入袋１の上面部２１に型材４を接着（一体化）させた状態で出荷できる。又、購入者は、使用時に中間蓋６を開くことで、ウエットティッシュ引出口２２を密閉しているシールラベル８を剥がすことができる。さらに、中間蓋６に小開口面積のウエットティッシュ取出口６５を形成しているので、型材４を封入袋上面部２１に取付けた状態で出荷し、且つシールラベル８を後から剥がせるようにしたものであっても、先・後のウエットティッシュの分離機能、及び後続側ウエットティッシュの先端部の保持機能をそれぞれ確保することができる。
【図面の簡単な説明】
【図１】本願実施形態のウエットティッシュ包装体における各蓋を開いた状態の斜視図である。
【図２】図１のウエットティッシュ包装体における各蓋を閉じた状態での短辺方向の中央縦断面図である。
【図３】図２の状態から中間蓋を開放したときの状態変化図である。
【図４】図２の状態から上蓋を開放したときの状態変化図である。
【図５】第１従来例のウエットティッシュ包装体の斜視図である。
【図６】図５のウエットティッシュ包装体における短辺方向の中央縦断面図である。
【図７】第２従来例のウエットティッシュ包装体の縦断面図である。
【図８】図７のウエットティッシュ包装体の状態変化図である。
【符号の説明】
１はウエットティッシュ入り封入袋、２は封入袋、３はウエットティッシュ積層体、４は型材、５は枠体、６は中間蓋、７は上蓋、８はシールラベル、２１は封入袋上面部、２２はウエットティッシュ引出口、３１はウエットティッシュ、３１ａは先端部、５２は開口部、６０はヒンジ部、６２は段下げ部、６５はウエットティッシュ取出口、６６は空間部、７０はヒンジ部である。
【図１】
2004331158.tif 000003
【図２】
2004331158.tif 000004
【図３】
2004331158.tif 000005
【図４】
2004331158.tif 000006
【図５】
2004331158.tif 000007
【図６】
2004331158.tif 000008
【図７】
2004331158.tif 000009
【図８】
2004331158.tif 000010